(57)【要約】【課題】スコアーカードや紙に別途記録する必要がなく、簡単なキー入力だけでショット情報管理を含めたプレイ情報の分析管理が可能となり、プレイヤーの実力向上を図ることができ、高価装備を購入することなく少ない費用で使用可能、かつ携帯が簡単で、プレイ情報をその場で入力、分析、評価することが可能な情報分析方法及び装置を提供する。【解決手段】必要な電力を供給する電力供給部、システムプログラムを記憶するシステムプログラムメモリ、入力データを記憶する入力データメモリ部、入力データメモリ部にデータを入力するキー入力部等から成る入力部、前記電力供給部の電力を受け入力データとシステムプログラムをマイクロプロセッサに処理させる主処理部、前記主処理部から処理された情報を表示する表示部、外部装置とデータの送受信を可能にする通信部を含めた形で構成される。【選択図】図３
2004216148.tif 000002
【特許請求の範囲】
【請求項１】
ゴルフプレイに関する情報分析装置により具現化される方法であって、
(a) 初期画面を表示するステップと、
(b) プレイヤーの個人情報を入力するステップと、
(c) ゴルフ場を選択あるいは入力するステップと、
(d) プレイのためのゴルフ場環境情報を入力するステップと、
(e) ホール情報を表示するステップと、
(f) ショットに関する情報の入力により、前記ホールに関する情報に基づき残りの距離及び次のショットに関するデータを入力する入力ウィンドウを表示するステップと、
(g) ボールがグリーンにオンすることによりパッティング画面に自動変換されるステップと、
(h) ボールがカップに入るまでパッティング ショットに関するデータを入力する入力ウィンドウを表示するステップと、
(i) ボールがカップに入ることによりホールが終了したことを知らせるステップと、
(j) 終了したホールのショット結果を分析し、提供するステップと、
(k) すべてのホールに関するプレイが終わった場合に、総合分析結果を提供するステップと、
(l) 前記総合分析結果に基づいて、前記ショットに関する情報入力ステップ、あるいはパッティングに関する情報入力ステップにおいてゴルフプレイに関して助言可能な情報を提供するステップ、
を含むゴルフプレイに関する情報分析方法。
【請求項２】
前記(a)のステップは、時間、気温、風向等の情報を提供するのを特徴として構成される請求項１記載のゴルフプレイに関する情報分析方法。
【請求項３】
前記(b)〜(d)のステップは、
プレイをした日付、プレイヤーのハンディキャップ、ティーオフ時間、気温、天気、風向、風速、コース名、ティーの種類、グリーンの形態、ピンの位置、ホールに関するデータを、表示部に表示された入力ウィンドウに入力キーまたは画面のタッチスクリーンから入力可能であるか、
前記データを通信部を通じて外部装置から入力可能であるか、
前記データをカード入力部を通じて入力可能であること、
を特徴として構成される請求項１記載のゴルフプレイに関する情報分析方法。
【請求項４】
前記(f)のステップは、情報分析装置を動作させるシステムプログラムにより、各ショットにて使用したクラブ、クラブ別のボールの飛距離に関する情報と、ボールの球質、ボールの方向性に関する情報(ボールが中央、左側、右側に位置しているかに関する情報)、ボールの落下・停止位置に関する情報(ボールがフェアウエイ、ラフ、バンカー、ハザード等のどこにあるかに関する情報)、及びＯＢになっているかの情報、風向、風速に関する情報、ショットをしようとする地面に関する情報（左足・右足上り、左足・右足下り、水平）を入力可能な入力ウィンドウが表示部の液晶に表示され、入力キーあるいは画面のタッチスクリーンまたは音声を利用し、前記表示されたウィンドウが要求するデータを入力可能であることを特徴として構成される請求項１記載のゴルフプレイに関する情報分析方法。
【請求項５】
前記（h）のステップにおいて、パッティングの際、足幅をもって実測した距離、方向に関する結果を入力可能なことを特徴として構成される請求項１記載のゴルフプレイに関する情報分析方法。
【請求項６】
前記(k)のステップは、情報分析装置を動作させるシステムプログラムにそって、パッティングが成功するまで、各パッティングにつき、ラインをよく読んでいるかに関する結果、距離に関する結果、方向に関する結果を入力可能な入力ウィンドウが表示部の液晶に表示され、入力キーまたはタッチスクリーン、音声を利用し、前記表示されたウインドウが要求するデータを入力可能であることを特徴として構成される請求項１記載のゴルフプレイに関する情報分析方法。
【請求項７】
前記(i)のステップは、ショット、パッティングに対する情報を入力する際、文字または音声でクラブ選択、打球方向、距離等に関して助言するのを特徴として構成される請求項１記載のゴルフプレイに関する情報分析方法。
【請求項８】
ゴルフプレイに関する情報を管理し、分析する装置であって、
該装置が動作するにあたり必要な電力を供給する電力供給部と、
主処理部を動作させるシステムプログラムを記憶可能なシステムプログラムメモリ部と、
入力データを記憶する入力データメモリ部と、
前記入力データメモリ部にプレイに関する情報を入力する入力部と、
前記電力供給部からの電力を受けて入力データメモリ部に記憶されたデータとシステムプログラムメモリ部に記憶されたシステムプログラムをマイクロプロセッサに処理させる主処理部と、
前記主処理部で処理された情報を表示する表示部と、
音声を出力可能なスピーカ部と、
外部装置とデータを送受信可能な通信部
を含むゴルフプレイに関する情報分析装置。
【請求項９】
前記電力供給部は、乾電池のような１次電池、あるいは鉛蓄電池、ニッケル−カドミウム（Ni-Cd）蓄電池のような２次電池を内蔵するものであることを特徴とする請求項８記載のゴルフプレイに関する情報分析装置。
【請求項１０】
前記入力部は、
ボタンをもって構成され、直接データを入力し、該データを前記入力データメモリ部へ記憶可能とするキー入力部と、
センサーで構成され、ホール及び飛距離に関する情報、ボールの位置に関する情報、気温等の情報を認識し、これらの情報を前記入力データメモリ部へ記憶可能とするセンサー入力部と、
カメラレンズを有しており、スウィング等のプレイヤーの動作を映像信号として受け、該映像信号を前記入力データメモリ部に記憶可能とする映像入力部と、
カードから入力情報を読み込み、これを前記入力データメモリ部に記憶可能とするカード入力部と、
音声を認識し、これを前記入力データメモリ部に記憶可能とする音声入力部
を含む請求項８記載のゴルフプレイに関する情報分析装置。
【請求項１１】
前記キー入力部は、上下左右にカーソルを動かせる方向キーと、設定、取り消し、完了等の所定機能をもつ機能キーで構成され、携帯しやすく小さく具現化されていることを特徴とする請求項１０記載のゴルフプレイに関する情報分析装置。
【請求項１２】
前記センサー入力部は、金属等の特定物質に関する探知センサーで構成され、金属等の特定物質で製造されたボールの位置を認識し、前記入力データメモリ部に記憶可能であることを特徴とする請求項１０記載のゴルフプレイに関する情報分析装置。
【請求項１３】
前記表示部はタッチスクリーンで構成され、画面を通じて新しいデータの入力を可能とすることを特徴とする請求項８記載のゴルフプレイに関する情報分析装置。
【請求項１４】
前記通信部は、USBポートあるいはIRDA赤外線ポート、IEEE1394コネクタ、GPS通信規格を利用して具現化され、外部の電子装置と送受信可能であることを特徴とする請求項８記載のゴルフプレイに関する情報分析装置。
【発明の詳細な説明】
【技術分野】
【０００１】
本発明は、ゴルフ競技中においても、打ったショットの内容及び結果はもちろんスコアー等をその場で簡単に電子媒体に記録保管させることができ、ゴルフ競技中あるいは終了後、ショットの内容を含めた競技内容全体を分析し、プレイヤーに提供するとともに、外部装置と連携し、データを交換可能としたゴルフプレイに関する情報分析方法及び装置に関するものである。
【背景技術】
【０００２】
従来から、一般的には、ゴルフ場から提供されるスコアーカードにプレイヤーが直接またはキャディがスコアーだけを記録する方法を用いたり、電子媒体を使用してパッティング数等のような限られた情報だけを記録する方法を用いていたが、これらの方法では、紛失の恐れや、プレイヤー自身が自己の記録統計値を用いて分析等を行えないといった問題点があった。さらにショットに関する情報を記録するための専用装置は存在しなかった。
【０００３】
また、前記のような問題点を解決すべく、その日その日の記録内容を別途パソコンに入力し直し、記憶、管理を行う方法もあるが、この方法では作業に手間がかかり、プレイヤーがゴルフ場にて発生する様々な状況をいちいち記録できるような時間的余裕もないため、不十分なデータになりかねないものであった。
【０００４】
さらに、前記のような問題点を解決すべく、PDAのような端末機を使用することも考えられるが、使用方法の煩わしさや高価な端末機を購入する必要があること、PDAごとにサービスが異なるため持続的にサービスに対する報酬を払わなければならないことのほか、ゴルフ場においては携帯に大変不便であった。
【発明の開示】
【発明が解決しようとする課題】
【０００５】
したがって、本発明は前記問題点を解決すべく開発されたもので、本発明の目的は、ゴルフのスキル向上に欠かせないショットに関する球質、方向、飛距離等の分析統計データ、及びパッティングの方向、距離、コースコンディション、パッティング数のようなプレイヤーに必要な総合データをその場で直ちに分析し、提供することで、ゴルフの楽しさを倍増させながらプレイヤー自身のショットの問題点を補完し、ゴルフスキルの向上を図るものである。特に特定の管理サービスを提供する会社及び他人の手を借りず、少ない労力と費用でプレイヤー本人のプレイ内容全体を分析評価可能な方法及び装置を提供することを目的とする。
【課題を解決するための手段】
【０００６】
本発明はゴルフプレイに関する情報分析方法及び装置に関するものであり、
本発明の情報分析方法は、ゴルフプレイに関する情報分析装置により具現化される方法であって、以下の(a)〜(l)のステップを含むことを特徴とする（請求項１）。
【０００７】
(a) 初期画面を表示するステップ
(b) プレイヤーの個人情報を入力するステップ
(c) ゴルフ場を選択あるいは入力するステップ
(d) プレイのためのゴルフ場環境情報を入力するステップ
(e) ホール情報を表示するステップ
(f) ショットに関する情報の入力により、前記ホールに関する情報に基づき残りの距離及び次のショットに関するデータを入力する入力ウィンドウを表示するステップ
(g) ボールがグリーンにオンすることによりパッティング画面に自動変換されるステップ
(h) ボールがカップに入るまでパッティング ショットに関するデータを入力する入力ウィンドウを表示するステップ
(i) ボールがカップに入ることによりホールが終了したこと知らせるステップ
(j) 終了したホールのショット結果を分析し、提供するステップ
(k) すべてのホールに関するプレイが終わった場合に、総合分析結果を提供するステップ
(l) 前記総合分析結果に基づいて、前記ショットに関する情報入力ステップ、あるいはパッティングに関する情報入力ステップにおいてゴルフプレイに関して助言可能な情報を提供するステップ
【０００８】
前記(a)のステップは、時間、気温、風向等の情報を提供するのを特徴として構成することができる（請求項２）。
【０００９】
また、前記(b)〜(d)のステップは、プレイをした日付、プレイヤーのハンディキャップ、ティーオフ時間、気温、天気、風向、風速、コース名、ティーの種類、グリーンの形態、ピンの位置、ホールに関するデータを、表示部に表示された入力ウィンドウに入力キーまたは画面のタッチスクリーンから入力可能であるか、通信部を通じて外部装置から入力可能であるか、カード入力部を通じて入力可能であることを特徴として構成することができる（請求項３）。
【００１０】
さらに、前記(f)のステップは、情報分析装置を動作させるシステムプログラムにより、各ショットにて使用したクラブ、クラブ別のボールの飛距離に関する情報と、ボールの球質、ボールの方向性に関する情報(ボールが中央、左側、右側に位置しているかに関する情報)、ボールの落下・停止位置に関する情報(ボールがフェアウエイ、ラフ、バンカー、ハザード等のどこにあるかに関する情報)、及びＯＢになっているかの情報、風向、風速に関する情報、ショットをしようとする地面に関する情報（左足・右足上り、左足・右足下り、水平）を入力可能な入力ウィンドウが表示部の液晶に表示され、入力キーあるいは画面のタッチスクリーンまたは音声を利用して前記表示されたウィンドウが要求するデータを入力可能であることを特徴として構成することができる（請求項４）。
【００１１】
また、前記（h）のステップでは、パッティングの際、足幅をもって実測した距離、方向に関する結果を入力可能なことを特徴として構成することができる（請求項５）。
【００１２】
前記(k)のステップは、情報分析装置を動作させるシステムプログラムにそって、パッティングが成功するまで、各パッティングについて、ラインをよく読んでいるかに関する結果、距離に関する結果、方向に関する結果を入力可能な入力ウィンドウが表示部の液晶に表示され、入力キーまたはタッチスクリーン、音声を利用し、前記表示されたウインドウが要求するデータを入力可能であることを特徴として構成することができる（請求項６）。
【００１３】
前記(i)のステップは、ショット、パッティングに対する情報を入力する際、文字または音声でクラブ選択、打球方向、距離等に関して助言するのを特徴として構成することができる（請求項７）。
【００１４】
次に、本発明の情報分析装置は、ゴルフプレイに関する情報を管理し、分析する装置であって、該装置が動作するにあたり必要な電力を供給する電力供給部２２と、主処理部２０を動作させるシステムプログラムを記憶可能なシステムプログラムメモリ部２６と、入力データを記憶する入力データメモリ部２４と、前記入力データメモリ部２４にプレイに関する情報を入力する入力部１０と、前記電力供給部２２からの電力を受けて入力データメモリ部２４に記憶されたデータとシステムプログラムメモリ部２６に記憶されたシステムプログラムをマイクロプロセッサに処理させる主処理部２０と、前記主処理部２０で処理された情報を表示する表示部３０と、音声を出力可能なスピーカ部４０と、パソコンなどの外部装置とデータの送受信を可能をする通信部５０を含む（請求項８）。
【００１５】
前記電力供給部２２は、乾電池のような１次電池、あるいは鉛蓄電池、ニッケル−カドミウム（Ni-Cd）蓄電池のような２次電池を内蔵することができる（請求項９）。
【００１６】
前記入力部１０は、ボタンをもって構成され、直接データを入力し、該データを前記入力データメモリ部へ記憶可能とするキー入力部１１と、センサーで構成され、ホール及び飛距離に関する情報、ボールの位置に関する情報、気温等の情報を認識し、これらの情報を前記入力データメモリ部へ記憶可能とするセンサー入力部１２と、カメラレンズを有しており、スウィング等のプレイヤーの動作を映像信号として受け、該映像信号を前記入力データメモリ部に記憶可能とする映像入力部１５と、カードから入力情報を読み込み、これを前記入力データメモリ部に記憶可能とするカード入力部１３と、音声を認識し、これを前記入力データメモリ部に記憶可能とする音声入力部１４を含むこととしてもよい（請求項１０）。
【００１７】
前記キー入力部１１は、上下左右にカーソルを動かせる方向キーと、設定、取り消し、完了等の所定機能をもつ機能キーで構成することもでき、携帯しやすく小さく具現化されていることが好ましい（請求項１１）。
【００１８】
前記センサー入力部１２は、金属等の特定物質に関する探知センサーで構成され、金属等の特定物質で製造されたボールの位置を認識し、前記入力データメモリ部に記憶可能であるよう構成することもできる（請求項１２）。
【００１９】
また、前記表示部３０は、タッチスクリーンで構成され、画面を通じて新しいデータの入力を可能とすることができる（請求項１３）。
【００２０】
さらに、前記通信部５０は、USBポートあるいはIRDA赤外線ポート、IEEE1394コネクタ、GPS通信規格を利用して具現化され、外部の電子装置と送受信可能とすることができる（請求項１４）。
【発明の効果】
【００２１】
本発明のゴルフプレイに関する情報分析方法及び装置によれば、スコアーカードや紙等に別途記載することなく、簡単なキー入力等によって、ショット情報の管理を含めたプレイ情報の分析管理が可能となり、プレイヤーのスキル向上を助けることができる。
【００２２】
また、高価な装備を購入することなく携帯が容易であり、プレイ情報をその場で入力し、評価することができる。
【発明を実施するための最良の形態】
【００２３】
以下、図面を用いて、本発明につき詳細に説明する。
【００２４】
図１は、ゴルフプレイに関する情報分析装置の構成図である。
【００２５】
図１に示すように、本発明の分析装置は、ゴルフプレイに関する情報を管理し、分析する装置であって、装置が動作するにあたり、必要な電力を供給する電力供給部２２と、主処理部２０を動作させるシステムプログラムをフラッシュメモリ等を利用して記憶させるシステムプログラムメモリ部２６と、SRAM等のメモリチップを利用して入力データを記憶する入力データメモリ部２４と、該入力データメモリ部に関連情報を入力する入力部１０と、前記電力供給部２２からの電力を使用して、前記入力データメモリ部２４に記憶されたデータと前記システムプログラムメモリ部２６に記憶されたシステムプログラムをマイクロプロセッサに処理させる主処理部２０と、LCDで構成され前記主処理部２０により処理された情報を表示する表示部３０、音声を出力可能なスピーカ部４０と、パソコンとのインターフェースとしてUSBポート等を設置し、パソコン等の外部装置とデータの送受信を可能にする通信部５０をもって構成されている。
【００２６】
前記入力部１０は、方向キーと各種機能キーから成り、前記表示部３０に表示されるウィンドウが要求するデータを方向キーをもって選択し入力可能としているキー入力部１１と、センサーで構成され、ホールに対する情報やボールの位置情報、気温等の情報を認識し、前記入力データメモリ部２４に記憶可能なセンサー入力部１２、カードを利用して入力情報を読み込み、前記入力データメモリ部２４に記憶可能なカード入力部１３、音声を認識し、前記入力データメモリ部２４に記憶可能な音声入力部１４、カメラレンズ付きでプレイヤーのショット動作等の映像が入力される映像入力部１５とにより構成されている。
【００２７】
前記キー入力部１１は、電子手帳のようにすべての文字を入力可能なキーと各種機能キーを含めた形での構成も可能だが、方向キーと設定、取り消し、完了等の機能を持つ6個程度の機能キーだけでも簡単に構成することができ、携帯用として実現可能なのはもちろんのこと費用の節減という効果もある。
【００２８】
前記センサー入力部１２は、気温やボールの位置等の情報を認識し、記憶可能な機能をもつ。気温の場合は温度センサーを用いて現在の気温を測定し記憶可能である。ボールの位置情報の場合は金属等の特定物質に対する探知センサーを使用し、金属等の特定物質で製造されたボールからの信号をセンサーが認識し、ボールの正確な位置を認識することができる。
【００２９】
前記カード入力部１３は、ゴルフ場別のコース情報やプレイ関連情報を書き込んだカードから新しい分析情報を入力可能とするものである。これは、カードを前記分析装置のカード入力部１３のリーダー機に差し込むことによって、外部パソコン等につなげることなく簡単に情報を入力可能であるため、外国のゴルフ場においても簡単に使用できる。
【００３０】
前記音声入力部１４は、マイクを通して入力された音声をデジタル信号に変換し、圧縮して、前記入力データメモリ部２４に記憶する。
【００３１】
前記主処理部２０は、マイクロプロセッサから構成され、前記電力供給部２２の電力を使い、入力データメモリ部２４に入力する情報を要求したり、入力情報を処理する。この機能はシステムメモリ部２６に記憶されたシステムプログラムに沿って行われる。
【００３２】
前記入力データメモリ部２４は、使用者が制限的にファイルを更新することを可能とするとともに、電源がOFFになっても記憶されたデータがなくならないように、読み取り（Read）／書き込み（Write）の特定制御信号によってデータを読み書き可能なEEPROMを使用することが好ましい。
【００３３】
前記システムメモリ部２６は、立ち上げの際基本的に必要となるシステムプログラムが記憶されているため、使用者が任意に消せないと同時に電源がOFFになってもプログラムが消えないよう、ROMをもって構成するのが好ましい。
【００３４】
前記表示部３０は、システムプログラムにそって入力するデータに関する入力ウィンドウの表示と、分析結果に関する表示を、LCDを利用した液晶画面によって具現化している。また、前記表示部３０は、表示部としての役割だけでなく、入力装置としての役割も果たす。前記表示部３０の入力装置としての機能は、専用ペンまたは指でスクリーンに触れて、希望するデータを入力可能なタッチスクリーン機能を通して可能となる。
【００３５】
前記スピーカ部４０は、前記音声入力部１４により圧縮され、記憶された信号に対しての圧縮を解凍し、音声として出力したり、入力部１０のデータとプレイした結果に対するデータ分析をもとにプレイに役に立つ情報を音声で出力する役割を果たす。
【００３６】
前記通信部５０は、パソコンのような外部装置とつなげ、ゴルフプレイに必要な情報、たとえばゴルフ場のコース等に対する情報をダウンロードし、入力データメモリ部に記憶可能とする。この時、外部装置とのデータの送受信は、USBポートやIRDA赤外線ポート、IEEE1394コネクタ及びGPS通信を利用して具現化可能とする。
【００３７】
図２は、ゴルフプレイに関する情報分析装置の外観図である。図２に示すように、本発明によるゴルフプレイに関する情報分析装置は、LCDで構成され、タッチスクリーン機能によるデータ入力と絵や文字等での出力が可能な液晶表示部１００、主処理部２０や記憶部２４，２６を含めたケース上にキー入力部１１を設置した本体部２００を含めて構成される。
【００３８】
前記本体部２００では、マイクロプロセッサチップや電源駆動装置、メモリチップ等が内蔵され、分析作業を遂行可能にするとともに、USBポートのような通信部があって、外部パソコンとデータのやり取りを可能としている。
【００３９】
図３はプレイヤーが打ったショットに関する情報分析方法の過程を示す図であり、図４〜図７は該方法が各ステップにおいて具現化された状態を示す図である。
【００４０】
図３にて示したように、本発明は、情報分析装置によりゴルフプレイに関する情報を分析する方法に関するものである。該装置を立ち上げると、まず、初期画面が表示され（L100）、プレイに先立ちプレイヤーの個人情報（使用するクラブの種類、クラブ別飛距離、本人のハンディキャップ）を入力すると（L200）、ゴルフ場環境を入力する画面が表示部に具現化される。
【００４１】
前記ゴルフ場の環境情報を確認するステップ（L500）で入力結果が一致すると、プレイ情報を入力するステップ（L600）に展開されるが、一致しない場合は前記ゴルフ場環境情報入力ステップ（L400）を繰り返す。この時、ゴルフ場及びゴルフ場の環境情報が装置から提供されない場合には、使用者が直接新しい環境を入力することも可能である。
【００４２】
プレイが開始（L600）された後、プレイ情報を入力するステップでは、まず、ホール情報を表示部に具現化し（L700）、ティーショットからグリーンに乗るまでのショット結果に関する情報を入力するステップ（L800）へと進む。前記ステップにおいてショット情報を入力すると、前記ホールに関する情報をもとにボールからグリーンまでの距離と次のショットに対するデータを入力できる入力ウィンドウが繰り返し表示される。
【００４３】
ボールがグリーンに乗るとパッティング画面が表示（L900）され、グリーンに乗ったボールとピンまでの距離を足並みで実測した結果を入力する入力ウィンドウが表示（L1000）される。この時、入力ウィンドウはボールがカップに入るまでパッティングを反復できるよう提供され、カップに入ると一つのホールが終了（L1100）となる。
【００４４】
一つホールの競技が終わると、プレイを継続するか否かを決定することとなるが、継続しない場合には、前記ホールまでのプレイ内容を分析した結果とプレイを終えたホールの情報を合わせて分析した結果を表示し（L1300）、18ホールに対するプレイが終わった場合には、各種ショットに対する総合分析画面を提供する（L1400）。
【００４５】
選択したゴルフ場の環境情報を入力するステップ（L400）では、情報分析装置を動作させるシステムプログラムによって、プレイした日にち、ティーオフ時間、気温、天気、風向及び風速、コース名、ティーボックスの種類、グリーンの位置(左または右)、ピンの位置等を入力する入力ウィンドウを表示部に表示し、画面のタッチスクリーン機能や入力キーを通して使用者が該当する情報を入力できるよう構成されている。
【００４６】
前記ステップ（L400）を、図４を参照して具体的に見てみると、図４に示すように表示部に入力を求める題目及び内容入力ウィンドウが表示され、使用者はキー入力部の方向キー、機能キーを利用して当てはまる内容を入力するか、タッチスクリーンを使って該当内容を選択し、入力するものである。
【００４７】
前記ショットに関する情報入力ステップ（L800）は、プレイ開始の後、ティーショットからボールがグリーンに乗るまでの結果に関する情報を入力すると前記ホールに関する情報に基づいて残りの距離と次のショットに対するデータを入力可能な入力ウィンドウが表示されるように具現化される。
【００４８】
このステップは、情報分析装置を動作させるシステムプログラムによって、各ショットにおいて使用したクラブの種類、ボールの飛距離に関する情報、ボールの方向性に関する情報(ボールが中央、左側、右側に位置しているかに関する情報)、ボールの落下・停止位置に関する情報(ボールがフェアウエイ、ラフ、バンカー、ハザード等のどこにあるかに関する情報) 、及びＯＢになっているかの情報等を入力可能な入力ウィンドウが出て、キー入力部や画面のタッチスクリーンまたは音声にて前記データを入力可能とするものである。また、このステップでは、ショット時の地面情報(左足・右足上り、左足・右足下り、水平)、ＯＢかハザード状態において自動でペナルティ計算を行う機能が含まれている。これを図５ａと図５ｂを通して具体的に説明する。
【００４９】
図５ａは、ゴルフプレイに関する情報分析方法の中でショットに関する入力ウィンドウが表示された状態を示す図であり、図５ａに示したように、ホールに関する情報がない場合、ホールのナンバーＢ１、距離Ｂ３、またはパー数Ｂ２に関するデータを入力する入力ウィンドウが表示部の液晶に表示され、入力キーか画面のタッチスクリーン機能をもってデータを入力する。もし、前記情報入力ステップ（L400）にてすでにホールに対する情報を獲得していればその情報が表示され、別途入力は必要なくなる。
【００５０】
図５ｂは図５ａの入力ウィンドウにて要求されるデータをすべて入力した結果を表示部に表示した場合の具体例である。
【００５１】
ボールがグリーンに乗ると、本発明の情報分析装置は自動的にパターを使用者に選択してくれる。パッティングステップ（L1000）ではカップにボールが入るまでパッティング画面を提供してくれる。このステップは情報分析装置を動作させるシステムプログラムによって、各パッティングに対する状況（下り、上り、平坦、フック  ライ、スライス  ライ等）を読み込んだ結果、足並みで実測した距離に対する結果、方向に対する結果を入力するウィンドウが表示されて、キー入力部もしくはタッチスクリーン、音声をもってプレイ結果を入力するものである。
【００５２】
パッティングステップでプレイヤーが入力ウィンドウに表示される位置のうちカップを選択すると、情報分析装置はＯＫまたは一つのホールが終了したという結果を表示する。一つのホールが終了し、分析データを提供したら、次のホールに自動的に変換するという過程を繰り返し、すべてのホールを回ることになる。
【００５３】
前記パッティング情報入力ステップ（L1000）を図６を用いて具体的に説明する。
【００５４】
図６は、ゴルフプレイに関する情報分析方法の中で、パッティングに関する入力ウィンドウが具現化された実施例を示す図である。図６に示したように、表示部には、パッティングが成功するまで、各パッティングに対し、ライをちゃんと読み込んだかどうかの結果、距離に対する結果、方向に対する結果を入力する入力ウィンドウが表示されて、キー入力部や画面のタッチスクリーンを利用してプレイ結果を入力するよう構成されている。
【００５５】
ホールに対する結果を分析し表示するステップ（L1300）では、直前に終了したホールだけでなく過去のすべてのホールに関する入力データを累積して分析データを表示する。
【００５６】
図７ａにより、前記ホールに対する結果を分析し表示するステップ（L1300）が表示部にどのように具現化されるかを示す。
【００５７】
総合結果分析表示ステップ（L1400）では、すべてホールのプレイが終了すると各ホールの分析結果に基づいて総合結果をプレイヤーに知らせる。このステップでは、情報分析装置を動作させるシステムプログラムによって、ホールごとのスコアー、点数別スコアー、グリーンオン率、グリーン的中率、ミスショット数、ペナルティの数、バディ数、パー数及びパッティングに対する詳細データを提供するとともに、問題点に関してのアドバイスを行い、スキル向上も図る。また、ドライバーショット、ウッドショット等のクラブ種類ごとに飛距離、方向性、ミスショットの内容を分析し、結果を提供する。
【００５８】
図７ｂをもって、前記ステップ（L1400）がどのように表示部に具現化されるかの実施例を示す。
【００５９】
前記情報分析装置による独特のゴルフプレイに関する情報分析方法は、コンテンツ化することで移動通信端末機及びPDAのような他機器への応用も可能であるとことは自明である。
【００６０】
以上をもって本発明の実施例の説明とするが、本発明は該実施例に限定されるものではない。本発明の応用範囲は広く、前記説明は特許請求の範囲の限界を示すものではない。
【図面の簡単な説明】
【００６１】
【図１】ゴルフプレイに関する情報分析装置の構成概略図。
【図２】ゴルフプレイに関する情報分析装置の外観図。
【図３】ゴルフプレイに関する情報分析方法の手順を示す図。
【図４】ゴルフプレイに関する情報分析方法において初期画面を示す図。
【図５ａ】ゴルフプレイに関する情報分析方法においてショットに関する入力ウィンドウが具現化された状態を示す図。
【図５ｂ】ショットに関する入力ウィンドウにデータを入力した状態を示す図。
【図６】ゴルフプレイに関する情報分析方法においてパッティングに関する入力ウィンドウが具現化された状態を示す図。
【図７ａ】ゴルフプレイに関する情報分析方法において各ホールのプレイを終了した時、プレイ結果を分析し、表示した状態を示す図。
【図７ｂ】ゴルフプレイに関する情報分析方法においてすべてのホールに対するプレイを終了した時、プレイ結果全体を分析し、表示した状態を示す図。
【符号の説明】
【００６２】
１０  入力部
１１  キー入力部
１２  センサー入力部
１３  カード入力部
１４  音声入力部
１５  映像入力部
２０  主処理部
２２  電力供給部
２４  入力データメモリ部
２６  システムプログラムメモリ部
３０  表示部
４０  スピーカー部
５０  通信部
１００  液晶表示部
２００  本体部
Ｂ１  ホールナンバー入力欄
Ｂ２  パー数入力欄
Ｂ３  距離入力欄
Ｂ４〜Ｂ６  ティーショット入力欄
Ｂ７  パッティング入力欄
Ｂ８  ライ入力欄
Ｂ９  距離入力欄
Ｂ１０  方向入力欄
【図１】
2004216148.tif 000003
【図２】
2004216148.tif 000004
【図３】
2004216148.tif 000005
【図４】
2004216148.tif 000006
【図５ａ】
2004216148.tif 000007
【図５ｂ】
2004216148.tif 000008
【図６】
2004216148.tif 000009
【図７ａ】
2004216148.tif 000010
【図７ｂ】
2004216148.tif 000011